(57)【要約】      （修正有）【課題】使用者の装着感を高めたマスクを提供する。【解決手段】使用時に使用者の顔面の少なくとも一部を覆うマスク本体部１０と、マスク本体部１０に取り付けられ、使用時に使用者の耳に掛けられる耳掛け部１２と、を備え、耳掛け部１２は、マスク本体部１０の上辺部から延びた紐状部材であり、マスク本体部１０の下辺の端部に設けられた環状部１６に通され、長さが調整可能であるマスク１００とする。【選択図】図１
0003234591.tif 000002
【実用新案登録請求の範囲】
【請求項１】
マスクであって、
使用時に使用者の顔面の少なくとも一部を覆うマスク本体部と、
前記マスク本体部に取り付けられ、使用時に使用者の耳に掛けられる耳掛け部と、
を備え、
前記耳掛け部は、長さが調整可能であることを特徴とするマスク。
【請求項２】
請求項１に記載のマスクであって、
前記耳掛け部は、前記マスク本体部の上辺部から延びた紐状部材であり、前記マスク本体部の下辺の端部に設けられた環状部に通されていることを特徴とするマスク。
【請求項３】
請求項１又は２に記載のマスクであって、
前記耳掛け部は、ポリエステル、ポリウレタン又はこれらを合わせた材料から構成されていることを特徴とするマスク。
【請求項４】
請求項１〜３のいずれか１項に記載のマスクであって、
前記マスク本体部は、表層及び裏層を重ね合わせて構成され、
前記表層は、ポリエステル、綿又はこれらを合わせた材料で構成され、
前記裏層は、ポリエステル、ポリウレタン又はこれらを合わせた材料で構成されることを特徴とするマスク。
【請求項５】
請求項４に記載のマスクであって、
前記マスク本体部は、前記表層と前記裏層との間にさらに中層を備え、
前記中層は、ポリエステル、綿又はこれらを合わせた材料で構成されることを特徴とするマスク。
【請求項６】
請求項４又は５に記載のマスクであって、
前記表層は、銀イオン加工されていることを特徴とするマスク。
【請求項７】
請求項４〜６のいずれか１項に記載のマスクであって、
前記裏層は、接触冷感素材で構成されていることを特徴とするマスク。
【請求項８】
請求項５に記載のマスクであって、
前記中層は、銀イオン加工されていることを特徴とするマスク。
【考案の詳細な説明】
【技術分野】
【０００１】
本考案は、衛生用のマスクに関するものである。
【背景技術】
【０００２】
新型コロナウィルス等の感染症の拡大に伴って、手洗いや咳エチケット等を徹底するとともに、衛生用のマスクを着用することが要求されている。衛生用のマスクに関する出願として、例えば、特許文献１〜３等が開示されている。
【先行技術文献】
【特許文献】
【０００３】
【特許文献１】特開２０２０−１５３０５９号公報
【特許文献２】特開２０１９−７７９７０号公報
【特許文献３】実用新案登録第３２２７９１０号公報
【考案の概要】
【考案が解決しようとする課題】
【０００４】
衛生用のマスクでは、抗菌・防臭、抗ウイルス等の衛生的な仕様が要求される。また、使用者において装着感が良いことが望まれる。特に、感染症が拡大した場合には夏場であってもマスクの着用が必要となることがあり、使用者の装着感の向上が不可欠である。
【課題を解決するための手段】
【０００５】
本考案の１つの態様は、マスクであって、使用時に使用者の顔面の少なくとも一部を覆うマスク本体部と、前記マスク本体部に取り付けられ、使用時に使用者の耳に掛けられる耳掛け部と、を備え、前記耳掛け部は、長さが調整可能であることを特徴とするマスクである。
【０００６】
ここで、前記耳掛け部は、前記マスク本体部の上辺部から延びた紐状部材であり、前記マスク本体部の下辺の端部に設けられた環状部に通されていることが好適である。
【０００７】
また、前記耳掛け部は、ポリエステル、ポリウレタン又はこれらを合わせた材料から構成されていることが好適である。
【０００８】
また、前記マスク本体部は、表層及び裏層を重ね合わせて構成され、前記表層は、ポリエステル、綿又はこれらを合わせた材料で構成され、前記裏層は、ポリエステル、ポリウレタン又はこれらを合わせた材料で構成されることが好適である。
【０００９】
また、前記マスク本体部は、前記表層と前記裏層との間にさらに中層を備え、前記中層は、ポリエステル、綿又はこれらを合わせた材料で構成されることが好適である。
【００１０】
また、前記表層は、銀イオン加工されていることが好適である。また、前記裏層は、接触冷感素材で構成されていることが好適である。また、前記中層は、銀イオン加工されていることが好適である。
【考案の効果】
【００１１】
本考案によれば、使用者の装着感を高めたマスクを提供することができる。
【図面の簡単な説明】
【００１２】
【図１】本考案の実施の形態におけるマスクの構成を示す図である。
【図２】本考案の実施の形態におけるマスクの構成を示す部分断面図である。
【図３】本考案の実施の形態におけるマスクの各部の寸法を示す図である。
【考案を実施するための最良の形態】
【００１３】
本考案の実施の形態におけるマスク１００は、マスク本体部１０及び耳掛け部１２から構成される。マスク本体部１０は、使用者の顔面の一部を覆う部分である。耳掛け部１２は、マスク本体部１０の両側部にそれぞれ設けられた一対の構成要素であり、使用者の耳に掛けられる部分である。
【００１４】
本実施の形態では、マスク１００は、立体形状を有する。すなわち、マスク１００は、未使用時においてはマスク本体部１０を半分に折り畳むことができ、使用時においては耳掛け部１２を互いに引き離すように広げることによってマスク本体部１０が前方方向に膨らみを有する立体形状となる。これにより、マスク１００を使用者の顔面に装着した状態では、マスク本体部１０の内面と使用者の顔面との間に空間が形成されるように使用者の口及び鼻を覆うことができる。ただし、マスク１００は、立体形状を有する態様に限定されるものではない。
【００１５】
図２は、マスク本体部１０を切り取ったときの断面を示す。マスク本体部１０は、表層２０、中層２２及び裏層２４の３積層構造を有する。
【００１６】
表層２０は、ポリエステル、綿又はこれらを合わせた材料で構成することが好適である。例えば、表層２０は、ポリエステル１００％、又は、ポリエステル９０％＋綿１０％とすることが好適である。これにより、マスク１００としての充分な強度を与えると共に、使用者の装着感を高めるために十分な伸縮性を持たせることができる。また、表層２０は、銀イオン加工を施すことによって抗菌・抗ウイルス及び防臭の効果を持たせてもよい。例えば、表層２０を銀イオンの水溶液に浸漬させた後、乾燥させることによって製造することができる。また、表層２０をカテキンやナノプラチナ粒子の水溶液に浸漬させた後、乾燥させることによって抗菌・抗ウイルス及び防臭の効果を持たせてもよい。ただし、これらに限定されるものではなく、対象とする細菌やウイルスを減殺させる効果があるものであればよい。
【００１７】
中層２２は、ポリエステル、綿又はこれらを合わせた材料で構成することが好適である。例えば、中層２２は、ポリエステル９０％＋綿１０％とすることが好適である。これにより、マスク１００としての充分な強度を与えると共に、使用者の装着感を高めるために十分な伸縮性を持たせることができる。また、中層２２は、銀イオン加工を施すことによって抗菌・抗ウイルス及び防臭の効果を持たせてもよい。例えば、中層２２を銀イオンの水溶液に浸漬させた後、乾燥させることによって製造することができる。また、中層２２をカテキンやナノプラチナ粒子の水溶液に浸漬させた後、乾燥させることによって抗菌・抗ウイルス及び防臭の効果を持たせてもよい。ただし、これらに限定されるものではなく、対象とする細菌やウイルスを減殺させる効果があるものであればよい。
【００１８】
裏層２４は、ポリエステル、ポリウレタン又はこれらを合わせた材料で構成することが好適である。例えば、裏層２４は、ポリエステル９６％＋ポリウレタン４％とすることが好適である。これにより、マスク１００としての充分な強度を与えると共に、使用者の装着感を高めるために十分な伸縮性と肌に優しい柔らかさを持たせることができる。また、裏層２４は、キシリトール加工を施すことによって使用者の肌に接触した際に冷感を与える接触冷感素材としてもよい。また、裏層２４は、保湿剤や湿潤剤を含有させた材料から構成してもよい。保湿剤及び湿潤剤としては、例えば、グリセリン、プロピレングリコールなどの多価アルコール類が挙げられる。また、例えば、乳酸、尿素、天然油脂類、長鎖脂肪酸、脂肪酸エステルなどの油脂類、アミノ酸系湿潤剤等が挙げられる。より具体的には、アミノ酸系湿潤剤、例えばピロリドンカルボン酸又はその塩類、ピロリジンカルボン酸又はその塩類、アシルピロリジンカルボン酸又はその塩類などが挙げられる。
【００１９】
また、表層２０、中層２２及び裏層２４を上記材料で構成することによって、洗濯機でも手洗いでも洗濯することが可能となる。また、洗濯後の乾燥も迅速に行うことができる。したがって、手軽に洗えてすぐ乾くマスク１００を提供することができる。
【００２０】
なお、本実施の形態では、マスク本体部１０を表層２０、中層２２及び裏層２４の３層構造とした例を示したが、表層２０及び裏層２４の２層構造としてもよい。
【００２１】
マスク本体部１０は、図３に示すように、上辺Ｌ１、下辺Ｌ２、中心辺Ｌ３及び脇辺Ｌ４によって囲まれる材料を二枚重ねて中心辺Ｌ３において繋いだような構成を有する。上辺Ｌ１は、使用時に使用者の鼻から頬を通ってこめかみ付近に沿う部分である。下辺Ｌ２は、使用時に使用者の下顎に沿う部分である。
【００２２】
上辺Ｌ１は、６５ｍｍ以上１００ｍｍ以下とすることが好適である。例えば、マスク本体部１０を表層２０、中層２２及び裏層２４の３層構造とした場合、上辺Ｌ１は、Ｓサイズでは７５ｍｍ、Ｍサイズでは８３ｍｍ、Ｌサイズでは９０ｍｍ、ＬＬサイズでは９０ｍｍとすることが好適である。また、例えば、マスク本体部１０を表層２０及び裏層２４の２層構造とした場合、上辺Ｌ１は、Ｓサイズでは７１ｍｍ、Ｍサイズでは７９ｍｍ、Ｌサイズでは８６ｍｍ、ＬＬサイズでは９０ｍｍとすることが好適である。
【００２３】
下辺Ｌ２は、６５ｍｍ以上１００ｍｍ以下とすることが好適である。例えば、マスク本体部１０を表層２０、中層２２及び裏層２４の３層構造とした場合、下辺Ｌ２は、Ｓサイズでは７５ｍｍ、Ｍサイズでは８５ｍｍ、Ｌサイズでは９０ｍｍ、ＬＬサイズでは９０ｍｍとすることが好適である。また、例えば、マスク本体部１０を表層２０及び裏層２４の２層構造とした場合、下辺Ｌ２は、Ｓサイズでは７１ｍｍ、Ｍサイズでは８１ｍｍ、Ｌサイズでは８６ｍｍ、ＬＬサイズでは９０ｍｍとすることが好適である。
【００２４】
中心辺Ｌ３は、１１０ｍｍ以上１９０ｍｍ以下とすることが好適である。例えば、マスク本体部１０を表層２０、中層２２及び裏層２４の３層構造とした場合、中心辺Ｌ３は、Ｓサイズでは１２７ｍｍ、Ｍサイズでは１５２ｍｍ、Ｌサイズでは１７５ｍｍ、ＬＬサイズでは１７５ｍｍとすることが好適である。また、例えば、マスク本体部１０を表層２０及び裏層２４の２層構造とした場合、中心辺Ｌ３は、Ｓサイズでは１２３ｍｍ、Ｍサイズでは１４８ｍｍ、Ｌサイズでは１７１ｍｍ、ＬＬサイズでは１７５ｍｍとすることが好適である。
【００２５】
脇辺Ｌ４は、５０ｍｍ以上８０ｍｍ以下とすることが好適である。例えば、マスク本体部１０を表層２０、中層２２及び裏層２４の３層構造とした場合、脇辺Ｌ４は、Ｓサイズでは６０ｍｍ、Ｍサイズでは６７ｍｍ、Ｌサイズでは７６ｍｍ、ＬＬサイズでは７６ｍｍとすることが好適である。また、例えば、マスク本体部１０を表層２０及び裏層２４の２層構造とした場合、脇辺Ｌ４は、Ｓサイズでは５６ｍｍ、Ｍサイズでは６３ｍｍ、Ｌサイズでは７２ｍｍ、ＬＬサイズでは７６ｍｍとすることが好適である。
【００２６】
マスク本体部１０をこのようなサイズとすることによって、使用時において使用者の装着感を高めたマスク１００を提供することができる。
【００２７】
マスク本体部１０の周囲は、図１に示すように、パイピング部１４ａ、１４ｂ、１４ｃによってパイピング加工されている。パイピング部１４ａは、マスク本体部１０の上辺Ｌ１に沿った端辺をテープ状の材料で包んで縫い合わせた部分である。パイピング部１４ｂは、マスク本体部１０の脇辺Ｌ４に沿った端辺をテープ状の材料でくるんで縫い合わせた部分である。パイピング部１４ｃは、マスク本体部１０の下辺Ｌ２に沿った端辺をテープ状の材料でくるんで縫い合わせた部分である。また、パイピング部１４ａは、マスク本体部１０の端部からさらに紐状に延ばされて耳掛け部１２として使用される。
【００２８】
パイピング部１４ａ、１４ｂ、１４ｃは、伸縮性のある材料で構成することが好適である。パイピング部１４ａ、１４ｂ、１４ｃは、ポリエステル、ポリウレタン又はこれらを合わせた材料で構成することが好適である。例えば、パイピング部１４ａ、１４ｂ、１４ｃは、ポリエステル９２％＋ポリウレタン８％とすることが好適である。
【００２９】
パイピング部１４ａ、１４ｂ、１４ｃを設けることによって、マスク本体部１０の端辺のほつれを防止すると共に、マスク１００のデザイン性を高めることができる。
【００３０】
マスク１００は、マスク本体部１０に加えて耳掛け部１２を備える。耳掛け部１２は、使用者の耳が入れられる開口部１２ａを有する。使用時においてはマスク本体部１０を拡げて使用者の口及び鼻を覆い、耳掛け部１２の開口部１２ａを使用者の耳に掛けることによってマスク１００を装着することができる。
【００３１】
本実施の形態のマスク１００では、上記のように、パイピング部１４ａを延ばした紐状部分が耳掛け部１２とされる。耳掛け部１２は、伸縮性のある材料で構成することが好適であり、例えば、ポリエステル９２％＋ポリウレタン８％とすることが好適である。このように耳掛け部１２を伸縮性の材料で構成することによって、耳掛け部１２の開口部１２ａを耳に掛けてマスク１００を装着したときの装着感を向上させることができる。
【００３２】
また、耳掛け部１２はマスク本体部１０の下辺Ｌ２の端部に設けられた環状部１６に通され、耳掛け部１２の端部１２ｂは環状部１６の穴から抜けない大きさに加工される。このような構造とすることによって、耳掛け部１２の開口部１２ａの大きさを使用者自身によって調整することができる。したがって、マスク１００の装着感をより向上させることができる。
【符号の説明】
【００３３】
１０  マスク本体部、１２  耳掛け部、１２ａ  開口部、１２ｂ  端部、１４ａ，１４ｂ，１４ｃ  パイピング部、１６  環状部、２０  表層、２２  中層、２４  裏層、１００  マスク。
【図１】
0003234591.tif 000003
【図２】
0003234591.tif 000004
【図３】
0003234591.tif 000005